(57)【要約】　　　（修正有）【課題】定時及び随時に鑑賞魚或いはペットに給餌できる給餌器の提供。【解決手段】ケース２内にコントロールシートが設けられ、第１コントロールボタン２０２と第２コントロールボタン２０４を選択して該コントロールシートのモータを定時或いは随時に運転させ、餌箱２４を駆動して同期に回転させ、出口の位置が下向きとなる時に、餌が餌箱内より送出され、且つコントロールシートの主動輪の回転軸に設けられたカムが定点まで回転する時、マイクロスイッチ３１３を駆動してモータ運転を停止させ、これにより定時或いは随時の鑑賞魚或いはペットへの給餌操作を完成する。【選択図】　　　　図３
0003098372.tif 000002
【実用新案登録請求の範囲】
【請求項１】
給餌器において、ケースを具え、該ケース内にコントロールシートが収容され、該ケースは、底座、前蓋、底盤、餌箱を具え、
該底座は、前側に開口が設けられその内部が中空の収容室とされ、上部に第１座孔と第２座孔が設けられて第１座孔に第１コントロールボタンが収容され、第２座孔に第２コントロールボタンが収容され、
該前蓋は底座の前側開口を閉合し、その中央に軸孔が設けられ、
該底盤は、中央に多角形を呈する主軸スリーブが設けられ、該主軸スリーブに内孔が設けられ、
該餌箱は、底部に開口を具えた中空の収容室を具え、側縁に円弧凸縁が設けられ、
該コントロールシートは、基板、左右の座体、モータ、歯車セットを具え、
該基板は制御回路を具え、該制御回路は第１スイッチ、第２スイッチ、マイクロスイッチ、及びタイマーを具え、
該左右の座体は相互に対応し且つ基板と連結されてコントロールシート本体を組成し、
該モータはコントロールシート内に取り付けられ、その回転軸にスクリューロッドが連結され、
該歯車セットは、複数の大きさの異なる歯車で組成され、そのうち主歯車の回転軸の外側が左の座体の回転軸孔より突出して回転軸スリーブに連結され、該回転軸スリーブの一端に多角形の心軸が設けられ、該主歯車の回転軸の内側にカムが枢接され、
以上を特徴とする、給餌器。
【請求項２】
請求項１記載の給餌器において、底座の底側に二つの平行なガイドレールが設けられ、電池シートがその側翼の該ガイドレールとの係合により組み合わされたことを特徴とする、給餌器。
【請求項３】
請求項１記載の給餌器において、底部に挟持シートが連結されたことを特徴とする、給餌器。
【請求項４】
請求項１記載の給餌器において、底盤の側縁に歯形縁が設けられたことを特徴とする、給餌器。
【請求項５】
請求項１記載の給餌器において、底盤の主軸スリーブの内孔が多角形とされたことを特徴とする、給餌器。
【請求項６】
請求項１記載の給餌器において、餌箱の出口に円弧形チャネルが設けられ、該円弧形チャネルの内側に二つの円弧形挟持板が設けられてその間に円弧溝が形成されて調整板が組み合わされたことを特徴とする、給餌器。
【請求項７】
請求項１記載の給餌器において、底盤の盤面に二つの相互に対応する円弧リブが設けられ、各円弧リブの外側に限位リブが設けられたことを特徴とする、給餌器。
【考案の詳細な説明】
【０００１】
【考案の属する技術分野】
本考案は一種の給餌器に係り、特に、定時或いは随時に鑑賞魚或いはペットに給餌できる給餌器に関する。
【０００２】
【従来の技術】
周知の給餌器の給餌制御方式は二種類に分けられ、一種類は随時制御式とされ、もう一種類は電子式定時制御とされる。前者の給餌器１は、図１に示されるように、機体に餌収容室１１が設けられ、その上にコントロールボタン１１１が設けられ、中段が運転機構１２とされ、その下段に漏斗形のチャネル１３とそれに連通する出口１４が設けられている。給餌時には、使用者がコントロールボタン１１１を押して該運転機構１２を運転させることにより、餌が餌収容室１１より漏斗形チャネル１３を通り出口１４より流出する。このような給餌器１の最大の欠点は、給餌時間を予め設定できないことで、このため電子式給餌器が生れた。電子式給餌器の構造はほぼ前述の随時制御式と同じであるが、異なる所は、タイマー制御回路が設けられ、時間の設定が行えることである。しかしこのような電子式給餌器は設定時間の操作プロセスが極めて煩瑣であり、ディジタルウォッチでアラーム設定するのと同様に、使用者に不便を感じさせた。
【０００３】
【考案が解決しようとする課題】
本考案は上述の従来の技術の欠点を鑑み、その解決のために提供される。即ち、本考案の主要な目的は、簡易に随時或いは定時の給餌操作を行え、且つ定時設定時にはただコントロールボタンを設定時間位置に切り換えれば、設定操作が行え、操作が簡易で便利である給餌器を提供することにある。
【０００４】
【課題を解決するための手段】
請求項１の考案は、給餌器において、ケースを具え、該ケース内にコントロールシートが収容され、該ケースは、底座、前蓋、底盤、餌箱を具え、
該底座は、前側に開口が設けられその内部が中空の収容室とされ、上部に第１座孔と第２座孔が設けられて第１座孔に第１コントロールボタンが収容され、第２座孔に第２コントロールボタンが収容され、
該前蓋は底座の前側開口を閉合し、その中央に軸孔が設けられ、
該底盤は、中央に多角形を呈する主軸スリーブが設けられ、該主軸スリーブに内孔が設けられ、
該餌箱は、底部に開口を具えた中空の収容室を具え、側縁に円弧凸縁が設けられ、
該コントロールシートは、基板、左右の座体、モータ、歯車セットを具え、
該基板は制御回路を具え、該制御回路は第１スイッチ、第２スイッチ、マイクロスイッチ、及びタイマーを具え、
該左右の座体は相互に対応し且つ基板と連結されてコントロールシート本体を組成し、
該モータはコントロールシート内に取り付けられ、その回転軸にスクリューロッドが連結され、
該歯車セットは、複数の大きさの異なる歯車で組成され、そのうち主歯車の回転軸の外側が左の座体の回転軸孔より突出して回転軸スリーブに連結され、該回転軸スリーブの一端に多角形の心軸が設けられ、該主歯車の回転軸の内側にカムが枢接され、
以上を特徴とする、給餌器としている。
請求項２の考案は、請求項１記載の給餌器において、底座の底側に二つの平行なガイドレールが設けられ、電池シートがその側翼の該ガイドレールとの係合により組み合わされたことを特徴とする、給餌器としている。
請求項３の考案は、請求項１記載の給餌器において、底部に挟持シートが連結されたことを特徴とする、給餌器としている。
請求項４の考案は、請求項１記載の給餌器において、底盤の側縁に歯形縁が設けられたことを特徴とする、給餌器としている。
請求項５の考案は、請求項１記載の給餌器において、底盤の主軸スリーブの内孔が多角形とされたことを特徴とする、給餌器としている。
請求項６の考案は、請求項１記載の給餌器において、餌箱の出口に円弧形チャネルが設けられ、該円弧形チャネルの内側に二つの円弧形挟持板が設けられてその間に円弧溝が形成されて調整板が組み合わされたことを特徴とする、給餌器としている。
請求項７の考案は、請求項１記載の給餌器において、底盤の盤面に二つの相互に対応する円弧リブが設けられ、各円弧リブの外側に限位リブが設けられたことを特徴とする、給餌器としている。
【０００５】
【考案の実施の形態】
本考案によると、給餌器は、ケース内にコントロールシートが設けられ、第１コントロールボタン、第２コントロールボタンを選択的に利用することにより、該コントロールシートのモータが定時或いは随時の運転制御が行われ、並びに餌箱が同期に回転させられ、出口が下向きとなる時に餌が餌箱より鑑賞魚或いはペットに与えられ、並びにコントロールシートの主動輪の回転軸に設けられたカムが定点に至る時、マイクロスイッチに圧接してモータ運転を停止させ、これにより定時或いは随時の鑑賞魚或いはペットへの給餌の操作が達成される。
【０００６】
本考案の給餌器は、コントロールボタンが二つ設けられ、即ち、使用者による随時給餌操作に供される第１コントロールボタンと、定時給餌操作のための第２コントロールボタンであり、該第２コントロールボタンは、多段切り換え選択が行え、各段位の設定時間は製造時に既に設定されて使用者が再入力設定する必要がなく、例えば第１一段が１２時間とされ、第２段が２４時間とされ、使用者がその飼育するペット（或いは鑑賞魚）の必要とする給餌時間により、適当な設定時間を選択することができ、自分で複雑な時間設定と入力操作を行なう必要がなく、ゆえに操作が簡単で便利である。
【０００７】
さらに、本考案の給餌器は、そのコントロールシート内にモータが設けられ、該モータは第１コントロールボタンの随時制御を受けて運転するほか、第２コントロールボタンの時間設定を受けて運転し、基板上のタイマーは第２コントロールボタンに基づき、その設定時間を切り換えてモータを駆動し運転させる。ゆえにモータが第１或いは第２コントロールボタンの駆動を受けて運転する時、その主動スクリューが歯車セットを駆動して運転させ、歯車セットの主動輪が一周回転する時、餌箱が駆動されて同期に一周回転し、一回の給餌動作が完成し、この時、主動輪の回転軸内側に枢接されたカムがマイクロスイッチに接触して電源をオフとし、モータの運転を停止させる。
【０００８】
また、本考案の給餌器は、その餌箱の出口に円弧形チャネルがあり、餌箱がモータの回転に伴い運転する時、餌が出口へと順調に滑り出し、該円弧形チャネルの内側に二つの円弧形挟持板が設けられ、その間に円弧溝が形成されて調整板が組み合わされ、この調整板の調整により餌の送出量が調整される。
【０００９】
【実施例】
図２、３、４に示されるように、本考案は、ケース２内にコントロールシート３が収容され、該ケース２は、底座２０、前蓋２２、底盤２３、餌箱２４を具えている。
【００１０】
該底座２０は、前側に開口が設けられその内部が中空とされ収容室２００が設けられ、上部に第１座孔２０１と第２座孔２０３が設けられて第１座孔２０１に第１コントロールボタン２０２が収容され、第２座孔２０３に第２コントロールボタン２０４が収容され、底側に二つの平行なガイドレール２０５と一つの閉合孔２０６が設けられて、電池シート２１がその側翼２１１が二つの平行なガイドレール２０５に嵌め込まれて押し込まれることで組み合わされ、さらに電池蓋２１２が該閉合孔２０６を閉合し、且つ底座２０の底部に挟持シート２５が連結され、該挟持シート２５が、その挟持板２５１の一端が底座２０の固定溝２０７に嵌め込まれることにより底座２０に連結され、且つ該挟持シート２５の挟持板２５１の後側に固定板２５２が設けられて、該固定板２５２に三つの穿孔２５３が設けられて、それぞれ可動板２５４の二つのガイドロッド２５６の挿入連接と、一つの締めつけボルト２５７の挿入に供され、該締めつけボルト２５７の前端に比較的小直径のヘッド２５８が設けられて該ヘッド２５８が可動板２５４の穿孔２５５に挿入され、可動板２５４を押して進退させる。
【００１１】
該前蓋２２は底座２０の前側開口を閉合し、その中央に軸孔２２１が設けられている。
【００１２】
該底盤２３は、側縁に歯形縁２３２があり、且つ中央に多角形を呈する主軸スリーブ２３１が設けられ、該主軸スリーブ２３１に多角形の内孔２３１０が設けられ、該底盤２３の盤面に二つの相互に対応する円弧リブ２３３があり、且つ各円弧リブ２３３の外側に限位リブ２３４が設けられている。
【００１３】
餌箱２４は、底部が開口を具えた中空の収容室２４０とされ、その側縁に円弧凸縁２４７が設けられ、円弧凸縁２４７の出口２４０１が円弧形チャネル２４０２を具え（図７参照）、該円弧形チャネル２４０２の内側に二つの円弧形挟持板２４１１、２４１２があり、その間に円弧溝２４２が形成されて、調整板２４５の側端に凸片２４５１が設けられ、該凸片２４５１が餌箱２４の前側面２４３の円弧溝２４３１より突出するほか、コントロールキー２４６が套設され、円弧溝２４３１の下縁に目盛り表示区２４３２が設けられている。
【００１４】
該コントロールシート３は、基板３１、左右の座体３３、３２、モータ３６、歯車セット３５を具えている。
【００１５】
該基板３１は内部に制御回路（図９参照。この制御回路は周知の回路とされる。）を具え、該制御回路は第１スイッチ３１２、第２スイッチ３１１、マイクロスイッチ３１３、及びタイマー３１４を具えている。
【００１６】
該左右の座体３３、３２は相互に対応し且つ基板３１と連結されてコントロールシート３本体を組成している。
【００１７】
該モータ３６はコントロールシート３の左の座体３３のモータシート３３１内に取り付けられ、その回転軸にスクリューロッド３６１が連結されている。
【００１８】
該歯車セット３５は、複数の大きさの異なる歯車で組成され、そのうち主歯車３５１の回転軸３５１１の外側が左の座体３３の回転軸孔３３２より突出して回転軸スリーブ３４に連結され、該回転軸スリーブ３４の一端に多角形の心軸３４１が設けられ、該主歯車３５１の回転軸３５１１の内側にカム３５１２が枢接されている（図５参照）。
【００１９】
以上の部品で組成され、使用時には、給餌器の挟持シート２５が箱体４の上縁を挟持し、並びにコントロールキー２４６で餌５の送出流量が調整され（目盛り表示区２４３２の目盛りにより調整されうる）、さらに餌５が餌箱２４内に投入されてさらに底盤２３が套設され、並びに餌箱２４の円弧凸縁２４７が底盤２３の円弧リブ２３３の外側に套設され、並びに回されて限位リブ２３４に限位され、餌箱２４と底盤２３の固定が完成し、さらに底盤２３の主軸スリーブ２３１の内孔２３１０に回転軸スリーブ３４の心軸３４１が挿入されて、餌の設置と組合せが完成する。随時給餌の時の操作方式は、使用者が第１コントロールボタン２０２を押すと、第１スイッチ３１２が駆動されて制御回路を起動して電源を導通させ、モータが運転開始する（以下の動作は後述する）、というものである。設定時間給餌の方式は、まず第２コントロールボタン２０４の時間設定を切り換え（給餌時間により対応する設定時間を選択し、例えば第１設定時間は１２時間、第２設定時間は２４時間とされる）、第２スイッチ３１１が第２コントロールボタン２０４の制御を受けて同期に動作し、設定された時間に切り換えられ、設定時間になる時、制御回路を起動し電源を導通させて、モータ３６に運転開始させる、というものである。
【００２０】
上述の二種類の操作方式において、モータ３６が運転開始する時、歯車セット３５が駆動され運転し、主歯車３５１の回転軸３５１１が同期に回転軸スリーブ３４、底盤２３及び餌箱２４を駆動し回転させ、餌５が円弧形チャネル２４０２より滑り出し、出口２４０１が下向きになる時に、箱体４に落ちる（図７、８参照）。一周回転すると、主歯車３５１の回転軸３５１１のカム３５１２がマイクロスイッチ３１３の押し板３１３０に接触し（図６）、これにより電源がオフとされてモータ３６が運転を停止し、一回の給餌動作が完成する。
【００２１】
【考案の効果】
本考案は定時或いは随時給餌可能な給餌器とされ、特に給餌時間により給餌時間を簡単に設定でき、操作が簡単で使用に便利である。
【図面の簡単な説明】
【図１】周知の給餌器表示図である。
【図２】本考案の斜視図である。
【図３】本考案の分解斜視図である。
【図４】本考案の組合せ断面図である。
【図５】本考案の主歯車の斜視図である。
【図６】図４のＩ−Ｉ断面図である。
【図７】本考案の給餌器の動作表示図である。
【図８】本考案の給餌器の動作表示図である。
【図９】本考案の制御回路図である。
【符号の説明】
１　給餌器
１１　餌収容室　　　　　　　　　　　１１１　コントロールボタン
１２　運転機構　　　　　　　　　　　１３　漏斗形のチャネル
１４　出口
２　ケース　　　　　　　　　　　　　２０　底座
２００　収容室　　　　　　　　　　　２０１　第１座孔
２０２　第１コントロールボタン　　　２０３　第２座孔
２０４　第２コントロールボタン　　　２０５　ガイドレール
２０６　閉合孔　　　　　　　　　　　２０７　固定溝
２１　電池シート　　　　　　　　　　２１１　側翼
２１２　電池蓋　　　　　　　　　　　２２　前蓋
２２１　軸孔　　　　　　　　　　　　２３　底盤
２３１　主軸スリーブ　　　　　　　　２３１０　内孔
２３２　歯形縁　　　　　　　　　　　２３３　円弧リブ
２３４　限位リブ　　　　　　　　　　２４　餌箱
２４０　収容室　　　　　　　　　　　２４０１　出口
２４０２　円弧形チャネル　　　　　　２４３１　円弧溝
２４３２　目盛り表示区
２４１１、２４１２　円弧形挟持板
２４２　円弧溝　　　　　　　　　　　２４５　調整板
２４６　コントロールキー　　　　　　２４７　円弧凸縁
２５　挟持シート　　　　　　　　　　２５１　挟持板
２５２　固定板　　　　　　　　　　　２５３　穿孔
２５４　可動板　　　　　　　　　　　２５５　穿孔
２５６　ガイドロッド　　　　　　　　２５７　締めつけボルト
２５８　ヘッド　　　　　　　　　　　３　コントロールシート
３１　基板　　　　　　　　　　　　　３１１　第２スイッチ
３１２　第１スイッチ　　　　　　　　３１３　マイクロスイッチ
３１３０　押し板　　　　　　　　　　３２　座体
３３　座体　　　　　　　　　　　　　３３１　モータシート
３３２　回転軸孔　　　　　　　　　　３４　回転軸スリーブ
３４１　心軸　　　　　　　　　　　　３５　歯車セット
３５１　主歯車　　　　　　　　　　　３５１１　回転軸
３５１２　カム　　　　　　　　　　　３６　モータ
３６１　スクリューロッド　　　　　　４　箱体
５　餌
【図１】
0003098372.tif 000003
【図２】
0003098372.tif 000004
【図３】
0003098372.tif 000005
【図４】
0003098372.tif 000006
【図５】
0003098372.tif 000007
【図６】
0003098372.tif 000008
【図７】
0003098372.tif 000009
【図８】
0003098372.tif 000010
【図９】
0003098372.tif 000011